【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
未使用および使用済みの鋭利物を効率よく分配および収容するシステムであって、
少なくとも１つの再配置可能な壁部を有する第１の外側容器と、該再配置可能な壁部は、第１の位置および第２の位置に切換配置可能なることと、該再配置可能な壁部が第１の位置に配置されるとき、第１の外側容器は、第１の外側容器から所定量の鋭利物を離脱させるために十分な大きさの開口部を形成することと、該鋭利物は、ペン型針、皮下注射針および付属の皮下注射針を備えた注射器から選択されることと、さらに、該再配置可能な壁部が第２の位置に配置されるときに開口部は閉じられることと、
該第１の外側容器は、第１の外側容器の外部から第１の外側容器の内部に使用済みの鋭利物を搬送する対応する一方向の機構を含む第１の開口をさらに形成することと、
該再配置可能な壁部および第１の外側容器は組み合わされて、再配置可能な壁が第２の位置に配置され完全なシールを形成するときに、再配置可能な壁を第１の外側容器に固定する不可逆なロック機構を形成することと、
該第１の外側容器に嵌入し、開口部を通過して第１の外側容器から離脱されるような寸法に形成される第２の内側容器とを備え、同第２の内側容器は、所定量の鋭利物を含み、さらに未使用の鋭利物を分配する機構を含むこととを特徴とする未使用および使用済みの鋭利物を効率よく分配および収容するシステム。
【請求項２】
前記再配置可能な壁部は、第１の位置に配置されるときに、再配置可能な壁部の１つの端部に沿って第１の外側容器に枢着されることを特徴とする請求項１に記載のシステム。
【請求項３】
前記再配置可能な壁部は、第１の位置に配置されるときに、第１の外側容器から分離されることを特徴とする請求項１に記載のシステム。
【請求項４】
前記第２の内側容器が第１の外側容器内に位置され、再配置可能な壁部が第１の位置に配置されるときに、第１の外側容器の開口部は覆われることを特徴とする請求項１に記載のシステム。
【請求項５】
前記再配置可能な壁部が不可逆ロック機構によって第１の外側容器に固定される場合に、完全な包囲体からの液体の漏出に対して完全な包囲体が再配置可能な壁部の周囲にてシールされることを特徴とする請求項１に記載のシステム。
【請求項６】
前記第１の外側容器の開口部はシュリンクラップフィルムによって覆われることを特徴とする請求項４に記載のシステム。
【請求項７】
前記第１の外側容器の開口部を覆うシュリンクラップフィルムは、第１の外側容器および再配置可能な壁部をさらに覆うことを特徴とする請求項６に記載のシステム。
【請求項８】
前記第１の外側容器の開口部は、第１の外側容器を覆う更なる容器によって覆われることを特徴とする請求項４に記載のシステム。
【請求項９】
前記第１の外側容器の開口部を覆う更なる容器は、再配置可能な壁部をさらに覆うことを特徴とする請求項８に記載のシステム。
【請求項１０】
前記第１の外側容器は、含まれる鋭利物１つ当たり少なくとも０．００２グラムの液体吸収能力を有する液体吸収材料をさらに備えることを特徴とする請求項１に記載のシステム。
【請求項１１】
前記第１の外側容器は、含まれる鋭利物１つ当たり少なくとも０．０１グラムの液体吸収能力を有する液体吸収材料をさらに備えることを特徴とする請求項１に記載のシステム。
【請求項１２】
前記第１の開口に対する一方向の機構は、第１の外側容器の２つ以上の配向において機能することを特徴とする請求項１に記載のシステム。
【請求項１３】
前記第１の開口に対する一方向の機構は、対応する注射器および注入ペンのうちの１つから皮下注射針を容易に取り払い受容することと、さらに取り払われた皮下注射針は第２の区画に直接搬送されることとを特徴とする請求項１に記載のシステム。
【請求項１４】
前記第２の開口に対する一方向の機構は回動機構であることを特徴とする請求項１に記載のシステム。
【請求項１５】
前記第２の開口に対する一方向の機構は枢動機構であることを特徴とする請求項１に記載のシステム。
【請求項１６】
前記第２の開口に対する一方向の機構は滑動要素を含むことを特徴とする請求項１に記載のシステム。
【請求項１７】
未使用および使用済みの鋭利物を効率よく分配および収容するシステムであって、
少なくとも１つの再配置可能な壁部を有する第１の容器と、該再配置可能な壁部は、第１の位置および第２の位置に切換配置可能なことと、該再配置可能な壁部が第１の位置に配置されるときに、第１の容器は、第１の容器から所定量の鋭利物を離脱させるために十分な大きさの開口部を形成することと、該所定量の鋭利物は、ペン型針、皮下注射針および付属の皮下注射針を備えた注射器から選択されることと、さらに、該再配置可能な壁部が第２の位置に配置されるときに、開口部は閉じられることと、
該第１の容器は、第１の容器の外部から第１の容器の内部に使用済みの鋭利物を搬送する対応する一方向の機構を含む第１の開口をさらに形成することと、該使用済みの鋭利物は、ペン型針、皮下注射針、および付属の皮下注射針を備えた注射器から選択されることと、
該再配置可能な壁部および第１の容器は組み合わされて、再配置可能な壁が第２の位置に配置され完全なシールを形成するときに、再配置可能な壁を第１の容器に固定する不可逆なロック機構を形成することと、
折りたたまれた分配形態、および第１の容器内に含まれる所定量の鋭利物を保持するために十分な寸法に形成された拡張した形態を有する第２の容器とを備えることを特徴とする未使用および使用済みの鋭利物を効率よく分配および収容するシステム。
【請求項１８】
前記第２の容器が折りたたまれた分配形態にある場合に、第２の容器は第１の容器内に位置され、第２の容器が拡張した収容形態にある場合に、第２の容器は第１の容器の外部に位置されることを特徴とする請求項１７に記載のシステム。
【請求項１９】
前記第２の容器が折りたたまれた分配形態にある場合に、所定量の鋭利物は第１の容器内に位置され、第２の容器が拡張した収容形態にある場合に、所定量の鋭利物は第２の容器内に位置されることを特徴とする請求項１８に記載のシステム。
【請求項２０】
前記第２の容器が折りたたまれた分配形態にある場合に、第２の容器は第１の容器の外部に位置され、第２の容器が拡張した収容形態にある場合に、第２の容器は第１の容器の外部に位置されることを特徴とする請求項１７に記載のシステム。
【請求項２１】
前記第２の容器が折りたたまれた分配形態にある場合に、所定量の鋭利物は第１の容器内に位置され、第２の容器が拡張した収容形態にある場合に、所定量の鋭利物は第２の容器内に位置されることを特徴とする請求項２０に記載のシステム。
【請求項２２】
前記再配置可能な壁部が不可逆ロック機構によって第１の容器に固定される場合に、完全な包囲体からの液体の漏出に対して完全な包囲体が再配置可能な壁部の周囲にてシールされることを特徴とする請求項１７に記載のシステム。
【請求項２３】
前記再配置可能な壁部は、第１の位置に配置されるときに、再配置可能な壁部の１つの端部に沿って第１の容器に枢着されることを特徴とする請求項１７に記載のシステム。
【請求項２４】
前記再配置可能な壁部は、第１の位置に配置されるときに、第１の容器から分離されることを特徴とする請求項１７に記載のシステム。
【請求項２５】
前記第２の容器が第１の容器内に位置され、再配置可能な壁部が第１の位置に配置されるときに、第１の容器の開口部は覆われることを特徴とする請求項１７に記載のシステム。
【請求項２６】
前記第１の容器の開口部はシュリンクラップフィルムによって覆われることを特徴とする請求項２５に記載のシステム。
【請求項２７】
前記第１の容器の開口部を覆うシュリンクラップフィルムは、第１の容器、再配置可能な壁部、および第２の容器をさらに覆うことを特徴とする請求項２６に記載のシステム。
【請求項２８】
前記第１の容器の開口部は、第１の容器を覆う更なる容器によって覆われることを特徴とする請求項２５に記載のシステム。
【請求項２９】
前記第１の容器を覆う更なる容器は、再配置可能な壁部をさらに覆うことを特徴とする請求項２８に記載のシステム。
【請求項３０】
前記第１の容器を覆う更なる容器は、拡張した収容形態の第２の容器であることを特徴とする請求項２８に記載のシステム。
【請求項３１】
前記第１の容器は、含まれる鋭利物１つ当たり少なくとも０．００２グラムの液体吸収能力を有する液体吸収材料をさらに備えることを特徴とする請求項１７に記載のシステム。
【請求項３２】
前記第１の容器は、含まれる鋭利物１つ当たり少なくとも０．０１グラムの液体吸収能力を有する液体吸収材料をさらに備えることを特徴とする請求項１７に記載のシステム。
【請求項３３】
前記第１の開口に対する一方向の機構は、第１の容器の２つ以上の配向において機能することを特徴とする請求項１７に記載のシステム。
【請求項３４】
前記第１の開口に対する一方向の機構は、対応する注射器および注入ペンのうちの１つから皮下注射針を容易に取り払い受容することと、さらに取り払われた皮下注射針は第２の区画に直接搬送されることとを特徴とする請求項１７に記載のシステム。
【請求項３５】
前記第２の開口に対する一方向の機構は回動機構であることを特徴とする請求項１７に記載のシステム。
【請求項３６】
前記第２の開口に対する一方向の機構は枢動機構であることを特徴とする請求項１７に記載のシステム。
【請求項３７】
前記第２の開口に対する一方向の機構は摺動要素を含むことを特徴とする請求項１７に記載のシステム。
【請求項３８】
前記第２の容器は未使用の鋭利物のための分配機構をさらに備えることを特徴とする請求項１７に記載のシステム。
【請求項３９】
未使用および使用済みの鋭利物を効率よく分配および収容するシステムであって、
複数の医療用鋭利物あるいは実習用鋭利物を含みこれらを安全に処分可能な寸法に形成された第１の容器と、
複数の医療用鋭利物あるいは実習用鋭利物を含みこれらを分配可能な寸法に形成された第２の容器とを備え、該システムは、第１の容器の容量とほぼ等しい第１の容量を有する第１の形態と、第１の容器の容量および第２の容器の容量の合計容量と等しい容量を有する第２の形態とを有することを特徴とする未使用および使用済みの鋭利物を効率よく分配および収容するシステム。
【請求項４０】
第１の容器は少なくとも１つの再配置可能な壁部を備えることと、同再配置可能な壁部は、第１の位置および第２の位置に切換配置可能なことと、再配置可能な壁部が第１の位置に配置されるときに、第１の容器は、第１の容器から所定量の鋭利物を離脱させるために十分大きな開口部を形成することと、該鋭利物は、ペン型針、皮下注射針および付属の皮下注射針を備えた注射器から選択されることと、さらに、該再配置可能な壁部が第２の位置に配置されるときに、該開口部は閉じられることと、さらに、該再配置可能な壁部および第１の容器は組み合わされて、再配置可能な壁が第２の位置に配置され完全なシールを形成するときに、再配置可能な壁を第１の容器に固定する不可逆なロック機構を形成することを特徴とする請求項３９に記載のシステム。
【請求項４１】
前記第２の容器は第１の形態の第１の容器内に含まれ、第２の形態の第１の容器の外側に位置することを特徴とする請求項３９に記載のシステム。
【請求項４２】
前記第２の容器は未使用の鋭利物のための分配機構をさらに備えることを特徴とする請求項４１に記載のシステム。
【請求項４３】
前記第２の容器は第１の形態において折りたたまれ、第２の形態において拡張されることを特徴とする請求項３９に記載のシステム。
【請求項４４】
前記第２の容器は第１および第２の形態において第１の容器の外側に位置されることを特徴とする請求項３９に記載のシステム。
【請求項４５】
前記第１の容器は、第１の容器の外部から第１の容器の内部に使用済みの鋭利物を搬送する対応する一方向の機構を備えることと、該鋭利物は、ペン型針、皮下注射針、および付属の皮下注射針を備えた注射器から選択されることとを特徴とする請求項３９に記載のシステム。
【手続補正２】
【補正対象書類名】明細書
【補正対象項目名】００１６
【補正方法】変更
【補正の内容】
【００１６】
システムにより、２つの容器を搬送する場合に、別体として搬送する場合と比較してより少量にて搬送が可能であり、且つ最初の収容に十分な容量が得られるが、使用される場所においては、未使用の鋭利物の好適な分配、および使用済みの鋭利物の処分がさらに可能である。第１の実施例において、システムは少なくとも１つの再配置可能な壁部を有する第１の外側容器を備える。再配置可能な壁部は、第１の位置および第２の位置を有する。再配置可能な壁部が第１の位置に配置される場合に、第１の外側容器は、第１の外側容器から所定量の鋭利物を離脱させるために十分大きな開口部を形成する。所定量の鋭利物は、ペン型針、皮下注射針および付属の皮下注射針を備えた注射器から選択される。さらに、再配置可能な壁部が第２の位置に配置される場合に、開口部は閉じられる。第１の外側容器は、第１の外側容器の外部から第１の外側容器の内部に使用済みの鋭利物を搬送する対応する一方向の機構を含む第１の開口をさらに形成する。使用済みの鋭利物は、ペン型針、皮下注射針、および付属の皮下注射針を備えた注射器、あるいは周知の単体の注射器から選択される。再配置可能な壁部および第１の外側容器は組み合わされて、不可逆なロック機構を形成する。ロック機構は、再配置可能な壁が第２の位置に配置され完全な包囲体を形成する場合に、再配置可能な壁を第１の外側容器に固定する。システムはさらに第２の内側容器を備える。第２の内側容器は、第１の外側容器に嵌入し、開口部を通過して第１の外側容器から取り払われるような寸法に形成される。第２の内側容器は、所定量の鋭利物を含み、さらに未使用の鋭利物を分配する機構を含む。